(57)【要約】      （修正有）【課題】防湿加工が施された板紙製のカートンの貼り付け部から湿気や水が内部に侵入するのを防止して、アルギン酸塩印象材の劣化を防止するようにしたアルギン酸塩印象材用カートンを提供する。【解決手段】ブランクを半切れ線５３でＬ字状に直角に折り曲げて防湿用板５を作成し、箱本体２の上部開口部から挿入する。防湿用板５の側面板貼り付け部５１を側面板２４の内面側に貼り付け、底面板貼り付け部５２を底面板２５の内面側に貼り付ける。その結果、糊代板２６と側面板２４の貼り付け部、底面板２５を構成する底面板群の貼り付け部が、防湿用板５で覆われて、湿気や水がアルギン酸塩印象材用カートンの内部に侵入するのを防止することが可能となる。【選択図】図４
0003185737.tif 000002
【実用新案登録請求の範囲】
【請求項１】
側面板、正面板、側面板、背面板、及び糊代板を折り曲げ線を介して順に連設し、側面板と糊代板を角筒状に貼り付けた周壁と、この周壁の下辺に折り曲げ線を介して連設された底面板群を貼り付けた底面板とを備え、上部を開口された箱本体と、
前記上部開口部を覆い防湿加工が施された封緘紙と、
前記上部開口部を覆う天面板と、この天面板から外側に各々折り曲げ線を介して垂下する前板、右板、背面側のヒンジ結合板、及び左板で構成された開閉自在な蓋とを有する防湿加工が施された板紙製のアルギン酸塩印象材用カートンにおいて、
前記糊代板を貼り付けた側面板の内面側と、底面板群を貼り付けた底面板の内面側とに貼り付けた防湿用板を備えた
ことを特徴とするアルギン酸塩印象材用カートン。
【請求項２】
請求項１に記載のアルギン酸塩印象材用カートンにおいて、
前記防湿用板は防湿加工が施された板紙製である
ことを特徴とするアルギン酸塩印象材用カートン。
【請求項３】
請求項２に記載のアルギン酸塩印象材用カートンにおいて、
前記封緘紙の背面は、前記箱本体の背面板に貼り付けられる蓋の背面側のヒンジ結合板に挟持されて箱本体の背面板に貼り付けられる
ことを特徴とするアルギン酸塩印象材用カートン。
【考案の詳細な説明】
【技術分野】
【０００１】
本考案は、アルギン酸塩印象材用カートンに関し、特に、カートンの貼り付け部から湿気や水が入るのを防止するようにしたアルギン酸塩印象材用カートンに関する。
【背景技術】
【０００２】
アルギン酸塩印象材は、これに硫酸カルシウム等のゲル化反応剤を組み合わせることによりゲル状硬化体が得られることを利用して、歯牙等様々な型取りに利用されている。アルギン酸塩印象材はその商品形態から粉末タイプとペーストタイプの２種類に分類される。しかし、ペーストタイプは粉末タイプに比較して嵩ばり、かつ重く流通、輸送に不適当であるため、現在の主流は粉末タイプとなっている。
【０００３】
このようなアルギン酸塩印象材を収納するカートンとして、特許文献１に示すような板紙製のカートンがある。特許文献１に示すカートンは、防湿加工が施された板紙製で、底面と側面を貼り付けて角筒状に形成している。このようなカートンにアルギン酸塩印象材を収納して保管すると、保管期間中に、底面と側面の貼り付け部から、少量ではあるが、湿気や水が内部に侵入するため、アルギン酸塩印象材が硬化したり、成分が変性したりして、材料の劣化が生じることが避けられない。
【先行技術文献】
【特許文献】
【０００４】
【特許文献１】特開２００７−８４１２９号公報
【考案の概要】
【考案が解決しようとする課題】
【０００５】
本考案の目的は、防湿加工が施された板紙製のカートンの貼り付け部から湿気や水が内部に侵入するのを防止して、アルギン酸塩印象材の劣化を防止するようにしたアルギン酸塩印象材用カートンを提供することにある。
【課題を解決するための手段】
【０００６】
前記課題は以下の手段によって解決される。
すなわち、本考案１のアルギン酸塩印象材用カートンは、側面板、正面板、側面板、背面板、及び糊代板を折り曲げ線を介して順に連設し、側面板と糊代板を角筒状に貼り付けた周壁と、この周壁の下辺に折り曲げ線を介して連設された底面板群を貼り付けた底面板とを備え、上部を開口された箱本体と、前記上部開口部を覆い防湿加工が施された封緘紙と、前記上部開口部を覆う天面板と、この天面板から外側に各々折り曲げ線を介して垂下する前板、右板、背面側のヒンジ結合板、及び左板で構成された開閉自在な蓋とを有する防湿加工が施された板紙製のアルギン酸塩印象材用カートンにおいて、前記糊代板を貼り付けた側面板の内面側と、底面板群を貼り付けた底面板の内面側とに貼り付けた防湿用板を備えたことを特徴とする。
【０００７】
本考案２のアルギン酸塩印象材用カートンは、本考案１において、前記防湿用板は防湿加工が施された板紙製であることを特徴とする。
【０００８】
本考案３のアルギン酸塩印象材用カートンは、本考案２において、前記封緘紙の背面は、前記箱本体の背面板に貼り付けられる蓋の背面側のヒンジ結合板に挟持されて箱本体の背面板に貼り付けられることを特徴とする。
【考案の効果】
【０００９】
本考案のアルギン酸塩印象材用カートンは、側面板、正面板、側面板、背面板、及び糊代板を折り曲げ線を介して順に連設し、側面板と糊代板を角筒状に貼り付けた周壁と、この周壁の下辺に折り曲げ線を介して連設された底面板群を貼り付けた底面板とを備え、上部を開口された箱本体と、上部開口部を覆い防湿加工が施された封緘紙と、上部開口部を覆う天面板と、この天面板から外側に各々折り曲げ線を介して垂下する前板、右板、背面側のヒンジ結合板、及び左板で構成された開閉自在な蓋とを有する防湿加工が施された板紙製のアルギン酸塩印象材用カートンにおいて、糊代板を貼り付けた側面板の内面側と、底面板群を貼り付けた底面板の内面側とに貼り付けた防湿用板を備えている。
【００１０】
従って、糊代板と側面板の貼り付け部、底面板を構成する底面板群の貼り付け部が、防湿用板で覆われて、湿気や水がアルギン酸塩印象材用カートンの内部に侵入するのを防止することができるため、アルギン酸塩印象材の劣化を防止することが可能となる。また、封緘紙は箱本体から取り外せない構造になっているため、開封後でも蓋を閉めれば封緘紙が元に戻り、湿気を防ぐことが可能となる。
【図面の簡単な説明】
【００１１】
【図１】図１は、本考案の実施の形態のアルギン酸塩印象材用カートンを示す全体斜視図である。
【図２】図２は、図１のアルギン酸塩印象材用カートンの箱本体が形成されるブランクを示す平面図である。
【図３】図３は、図１のアルギン酸塩印象材用カートンの防湿用板が形成されるブランクを示す平面図である。
【図４】図４は、箱本体に防湿用板を挿入して貼り付ける工程を示す斜視図である。
【考案を実施するための形態】
【００１２】
以下、本考案の実施の形態を図面に基づいて説明する。図１は、本考案の実施の形態のアルギン酸塩印象材用カートンを示す全体斜視図である。図１に示すように本考案の実施の形態のアルギン酸塩印象材用カートン１は上方に開口部が形成されている箱本体２、封緘紙３、蓋４、防湿用板５から構成されている。
【００１３】
箱本体２は正面板２１、背面板２２、側面板２３、２４、及び底面板２５を有している。そして、正面板２１、背面板２２、側面板２３、２４の上方は、折り曲げ線で補強板が折り畳まれて貼り付けられている。従って、正面板２１、背面板２２、側面板２３、２４の上方部は、表側面と裏側面が重ね合わされた２重構造になっている。側面板２４の内面側と、底面板２５の内面側の両方にまたがって、Ｌ字状に直角に折り曲げられた防湿用板５が貼り付けられている。
【００１４】
箱本体２の上部開口部には、防湿加工が施された封緘紙３が貼り付けられる。封緘紙３としては、例えば、ＯＰＰ（配向ポリプロピレン）フイルムを薄葉紙でサンドイッチした構造のラミネートシートや、ＰＥＴ（ポリエチレンテレフタレート）フイルムをグラシンでサンドイッチした構造のラミネートシートを用いることができる。また、ホットメルトにより、箱本体１の上方部に接着させる場合には、グラシン紙／ＰＥＴフイルム／ＰＥ（ポリエチレン）フイルム／ホットメルト接着剤層の積層構造のラミネートシートを用いることができる。封緘紙３は、箱本体１にアルギン酸塩印象材を計量して充填した後に貼り付けられる。
【００１５】
箱本体２と蓋４は、箱本体２の背面板２２の上方で、蓋４の天面板４１の背面側に折り曲げ線を介して連設されているヒンジ結合板４５が接着剤等により接着接合されている。そして、折り曲げ線によって蓋４が自在に開閉される。蓋４は天面板４１、前板４２、右板４３、左板４４、ヒンジ結合板４５を有している。箱本体２と封緘紙３は、箱本体１の背面板２２の上方で、封緘紙３の背面側に折り曲げ線を介して連設されている接合部３１が接着剤等により貼り付けられて接合されている。接合部３１は、蓋４のヒンジ結合板４５に挟持されて箱本体１の背面板２２に貼り付けられる。従って、封緘紙３は箱本体２から取り外せない構造になっているため、開封後でも蓋４を閉めれば封緘紙３が元に戻り、湿気を防ぐことが可能となる。
【００１６】
図２は本考案のアルギン酸塩印象材用カートン１の箱本体２が形成されるブランク６１を示す平面図である。図２に示すように箱本体２のブランク６１は、左端の糊代板２６が折り曲げ線２６１を介して背面板２２と連設されている。そして、背面板２２、側面板２３、正面板２１、側面板２４がこの順序で折り曲げ線２２１、２３１、２１１を介して連設されている。
【００１７】
また、背面板２２、側面板２３、正面板２１、側面板２４の各々上方に、折り曲げ線７１１、７２１、７３１、７４１を介して、各々背面側補強板７１、側面側補強板７２、正面側補強板７３、側面側補強板７４が連設されている。また、背面板２２、側面板２３、正面板２１、側面板２４の各々下方に、折り曲げ線７５１、７６１、７７１、７８１を介して各々背面側底面板７５、側面側底面板７６、正面側底面板７７、側面側底面板７８が連設されている。
【００１８】
糊代板２６を側面板２４に重ね合わせて貼り付け、背面板２２、側面板２３、正面板２１、側面板２４で構成される角筒状の周壁を形成する。また、背面側底面板７５、側面側底面板７６、正面側底面板７７、側面側底面板７８の４枚で構成される底面板群を重ね合わせて貼り付け、図１の底面板２５が形成される。
【００１９】
各折り曲げ線２６１、２２１、２３１、２１１、７１１、７２１、７３１、７４１、７５１、７６１、７７１、７８１は、ブランクに使用される板紙の厚さ、材質等によって、折り曲げ線の代わりに半切れ線を用いても良い。アルギン酸塩印象材用カートン１に収納されるアルギン酸塩印象材の使用が終わり、アルギン酸塩印象材用カートン１を廃棄する時に、アルギン酸塩印象材用カートン１を折りたたみ易くするために、両側面板２３、２４に逆Ｙの字状の折り目線２７が形成されている。
【００２０】
また、本考案の実施の形態の箱本体２、蓋４が作製されるブランクの板紙は、防湿加工が施された耐水性の板紙が使用される。板紙に防湿性や耐水性を付与する方法としては、板紙を抄造加工するときに行う方法と、抄造加工された板紙に含浸あるいは塗工する方法で行われる。板紙に耐水性を抄造加工時に付与する時に添加される耐水剤として、尿素―ホルムアルデヒド樹脂、メラミンーホルムアルデヒド樹脂、エポキシ化ポリアミド樹脂、ポリエチレンイミン樹脂、ジアルデヒドでんぷん、グリオキザール化ポリアクリルアミド樹脂等がある。
【００２１】
抄造加工された板紙に耐水性を附与する二次加工用薬剤としては、カルナバワックス、パラフィン系ワックス、ポリエチレンワックス等のワックスが使用される。また、水に不溶なポリ塩化ビニル、ポリ塩化ビニリデン、ポリ酢酸ビニル、エチレンー酢酸ビニル共重合体、塩化ビニリデンー酢酸ビニル共重合体などの高分子溶液あるいはエマルジョンが用いられる。また、板紙の積層体、例えば、板紙／高分子層（ポリエチレン、ポリプロピレン、ポリ塩化ビニリデンなどの防湿性高分子層）／板紙も使用できる。
【００２２】
図３は本考案のアルギン酸塩印象材用カートンの防湿用板５が形成されるブランク６２を示す平面図である。図３に示すように防湿用板５は、側面板貼り付け部５１が半切れ線５３を介して底面板貼り付け部５２と連設されている。側面板貼り付け部５１の縦横の寸法は、側面板２４の縦横の寸法と同一寸法に形成されている。また、底面板貼り付け部５２の縦横の寸法は、底面板２５の縦横の寸法と同一寸法に形成されている。側面板貼り付け部５１には逆Ｙの字状の折り目線５４が形成され、アルギン酸塩印象材用カートン１に収納されるアルギン酸塩印象材の使用が終わり、アルギン酸塩印象材用カートン１を廃棄し易いようにしている。
【００２３】
本考案の実施の形態の防湿用板５が作製されるブランクの板紙は、アイボリー紙、ポストカード、両面カード紙、マニラボール紙、白ボールである白板紙等、通常の板紙を使用することができるが、箱本体２、蓋４と同様に、防湿加工が施された板紙を使用することが好ましい。
【００２４】
図４は、箱本体２に防湿用板５を挿入して貼り付ける工程を示す斜視図である。図４に示すように、ブランク６２を半切れ線５３で直角に折り曲げてＬ字状の防湿用板５を作成し、箱本体２の上部開口部から挿入する。防湿用板５の側面板貼り付け部５１を側面板２４の内面側に貼り付け、底面板貼り付け部５２を底面板２５の内面側に貼り付ける。その結果、糊代板２６と側面板２４の貼り付け部、底面板２５を構成する底面板群の貼り付け部が、防湿用板５で覆われて、湿気や水がアルギン酸塩印象材用カートン１の内部に侵入するのを防止することが可能となる。また、封緘紙３は箱本体２から取り外せない構造になっているため、開封後でも蓋４を閉めれば封緘紙３が元に戻り、湿気を防ぐことが可能となる。
【００２５】
以上、本考案の実施の形態を説明したが、本考案はこの実施の形態に限定されることはない。本考案の目的、趣旨を逸脱しない範囲内での変更が可能なことはいうまでもない。
【符号の説明】
【００２６】
１…アルギン酸塩印象材用カートン
２…箱本体
２１…正面板
２１１…折り曲げ線
２２…背面板
２２１…折り曲げ線
２３…側面板
２３１…折り曲げ線
２４…側面板
２５…底面板
２６…糊代板
２６１…折り曲げ線
２７…折り目線
３…封緘紙
３１…接合部
４…蓋
４１…天面板
４２…前板
４３…右板
４４…左板
４５…ヒンジ結合板
５…防湿用板
５１…側面板貼り付け部
５２…底面板貼り付け部
５３…半切れ線
５４…折り目線
６１…ブランク
６２…ブランク
７１…背面側補強板
７１１…折り曲げ線
７２…側面側補強板
７２１…折り曲げ線
７３…正面側補強板
７３１…折り曲げ線
７４…側面側補強板
７４１…折り曲げ線
７５…背面側底面板
７５１…折り曲げ線
７６…側面側底面板
７６１…折り曲げ線
７７…正面側底面板
７７１…折り曲げ線
７８…側面側底面板
７８１…折り曲げ線
【図１】
0003185737.tif 000003
【図２】
0003185737.tif 000004
【図３】
0003185737.tif 000005
【図４】
0003185737.tif 000006